(57)【要約】【課題】本発明は、発券したチケットを封筒に入れてチケット購入者に引き渡す場合にも、封筒からチケットを取り出すことなく、チケット購入者がチケットの内容を確認することができるチケット印字システムおよびチケット印字方法を提供することを課題とする。【解決手段】印字イメージ生成部３２によってチケット発券情報を所定のフォーマットにレイアウトした印字イメージを生成し、チケット印字部３３によって印字イメージを所定の用紙に印字してチケット２を発券すると共に、２次元コード生成部５１によってチケット発券情報に基づいた２次元コード４を生成し、２次元コード印字部５２によって２次元コード４を所定のラベルに印字して２次元コードラベル４１を発行する。封筒に２次元コードラベル４１を貼付することで、携帯電話を用いて２次元コード４を読み取ってチケットの内容を確認することができる。【選択図】        図１
2007179356.tif 000002
【特許請求の範囲】
【請求項１】
チケットを発券するチケット印字システムであって、
入力されたチケット発券情報を所定のフォーマットにレイアウトした印字イメージを生成する印字イメージ生成手段と、
該印字イメージ生成手段によって生成された前記印字イメージを所定の用紙に印字して前記チケットを発券するチケット印字手段と、
入力された前記チケット発券情報に基づいた２次元コードを生成する２次元コード生成手段と、
該２次元コード生成手段によって生成された前記２次元コードを所定のラベルに印字し、前記チケットを入れる封筒に貼付する２次元コードラベルを発行する２次元コード印字手段とを具備し、
２次元コード読み取り機能を有する機器によって前記チケットを入れる封筒に貼付された前記２次元コードラベルを読み取ることで、前記封筒に入れられた前記チケットの前記チケット発券情報を確認可能にしたことを特徴とするチケット印字システム。
【請求項２】
前記２次元コード生成手段は、同一の封筒に入れる複数の前記チケットの前記チケット発券情報が含まれる２次元コードを生成させることを特徴とする請求項１記載のチケット印字システム。
【請求項３】
チケットを発券するチケット印字方法であって、
入力されたチケット発券情報を所定のフォーマットにレイアウトした印字イメージを生成して、該生成した前記印字イメージを所定の用紙に印字して前記チケットを発券すると共に、
入力された前記チケット発券情報に基づいた２次元コードを生成して、該生成した前記２次元コードを所定のラベルに印字することで、前記チケットを入れる封筒に貼付する２次元コードラベルを発行し、
２次元コード読み取り機能を有する機器によって前記チケットを入れる封筒に貼付された前記２次元コードラベルを読み取ることで、前記封筒に入れられた前記チケットの前記チケット発券情報を確認可能にすることを特徴とするチケット印字方法。
【発明の詳細な説明】
【技術分野】
【０００１】
本発明は、航空機チケット、コンサートチケット、スポーツ観戦チケット、映画チケット等のチケットを発券するチケット印字システムおよびチケット印字方法に関し、特に発券したチケットを封筒に入れた状態でチケット購入者に引き渡すことを前提としたチケット印字システムおよびチケット印字方法に関する。
【背景技術】
【０００２】
航空機チケット、コンサートチケット、スポーツ観戦チケット、映画チケット等のチケットには、日時や場所等の各種情報が印字されており、チケット購入者は、チケットに印字された各種情報に視認することで、購入したチケットの確認やチケットを使用するスケジュールを管理している。また、チケットに印字される各種情報は、多岐に亘り、例えば購入したチケットに関連するホームページを指定するＵＲＬの印字も提案されている（例えば、特許文献１参照）。
【０００３】
しかしながら、従来技術では、発券したチケットを封筒に入れてチケット購入者に引き渡す場合には、チケット購入者は、封筒からチケットを取り出さないとチケットの内容を確認することができないという問題点があった。
【０００４】
【特許文献１】特開２００３−２５６６００号公報
【発明の開示】
【発明が解決しようとする課題】
【０００５】
本発明は斯かる問題点に鑑みてなされたものであり、その目的とするところは、発券したチケットを封筒に入れてチケット購入者に引き渡す場合にも、封筒からチケットを取り出すことなく、チケット購入者がチケットの内容を確認することができるチケット印字システムおよびチケット印字方法を提供する点にある。
【課題を解決するための手段】
【０００６】
本発明は上記課題を解決すべく、以下に掲げる構成とした。
請求項１記載の発明の要旨は、チケットを発券するチケット印字システムであって、
入力されたチケット発券情報を所定のフォーマットにレイアウトした印字イメージを生成する印字イメージ生成手段と、該印字イメージ生成手段によって生成された前記印字イメージを所定の用紙に印字して前記チケットを発券するチケット印字手段と、入力された前記チケット発券情報に基づいた２次元コードを生成する２次元コード生成手段と、該２次元コード生成手段によって生成された前記２次元コードを所定のラベルに印字し、前記チケットを入れる封筒に貼付する２次元コードラベルを発行する２次元コード印字手段とを具備し、２次元コード読み取り機能を有する機器によって前記チケットを入れる封筒に貼付された前記２次元コードラベルを読み取ることで、前記封筒に入れられた前記チケットの前記チケット発券情報を確認可能にしたことを特徴とするチケット印字システムに存する。
また請求項２記載の発明の要旨は、前記２次元コード生成手段は、同一の封筒に入れる複数の前記チケットの前記チケット発券情報が含まれる２次元コードを生成させることを特徴とする請求項１記載のチケット印字システムに存する。
また請求項３記載の発明の要旨は、チケットを発券するチケット印字方法であって、入力されたチケット発券情報を所定のフォーマットにレイアウトした印字イメージを生成して、該生成した前記印字イメージを所定の用紙に印字して前記チケットを発券すると共に、入力された前記チケット発券情報に基づいた２次元コードを生成して、該生成した前記２次元コードを所定のラベルに印字することで、前記チケットを入れる封筒に貼付する２次元コードラベルを発行し、２次元コード読み取り機能を有する機器によって前記チケットを入れる封筒に貼付された前記２次元コードラベルを読み取ることで、前記封筒に入れられた前記チケットの前記チケット発券情報を確認可能にすることを特徴とするチケット印字方法に存する。
【発明の効果】
【０００７】
本発明のチケット印字システムおよびチケット印字方法は、入力されたチケット発券情報を所定のフォーマットにレイアウトした印字イメージを生成し、生成した印字イメージを所定の用紙に印字してチケットを発券すると共に、入力されたチケット発券情報に基づいた２次元コードを生成し、生成した２次元コードを所定のラベルに印字して２次元コードラベルを発行するように構成することにより、チケットを封筒に入れた状態でチケット購入者に引き渡す場合にも、封筒に２次元コードが印字された２次元コードラベルを貼付することで、２次元コード読み取り機能を有する携帯電話を用いて２次元コードを読み取り、封筒からチケットを取り出すことなく、チケット購入者がチケットの内容を確認することができるという効果を奏する。
【発明を実施するための最良の形態】
【０００８】
以下、本発明の実施の形態を図面に基づいて詳細に説明する。
【０００９】
（第１の実施の形態）
図１は、本発明に係るチケット印字システムの第１の実施の形態の構成を示すブロック図であり、図２は、図１に示すチケット印字システムによって印字されたチケットおよび２次元コードラベルの使用方法を説明するための説明図である。
【００１０】
第１の実施の形態は、図１を参照すると、ホストコンピュータ１からのチケット発券情報に基づいて、航空機チケット、コンサートチケット、スポーツ観戦チケット、映画チケット等のチケット２を発券するチケット印字装置３と、ホストコンピュータ１からのチケット発券情報に基づいて、２次元コードラベル４１を発行する２次元コード印字装置５とからなる。なお、ホストコンピュータ１からのチケット発券情報は、チケット２を発券するための情報であり、例えばチケット２が航空機チケットである場合には、チケット２に印字される搭乗日時、出発空港、到着空港、便名等の情報が含まれている。
【００１１】
チケット印字装置３は、ホストコンピュータ１からチケット発券情報を受信し、受信したチケット発券情報を２次元コード印字装置５に出力する受信部３１と、受信部３１によって受信されたチケット発券情報を所定のフォーマットにレイアウトした印字イメージを生成する印字イメージ生成部３２と、印字イメージ生成部３２によって生成された印字イメージを所定の用紙に印字してチケット２を発券するチケット印字部３３とからなる。
【００１２】
２次元コード印字装置５は、チケット印字装置３から入力されたチケット発券情報に基づいてＱＲコードやData Matrix等の２次元コード４を生成する２次元コード生成部５１と、２次元コード生成部５１によって生成された２次元コード４を所定のラベルに印字した２次元コードラベル４１を発行する２次元コード印字部５２とからなる。なお、２次元コード生成部５１によって生成される２次元コード４には、チケット発券情報の全てが含まれるようにしても良く、チケット発券情報から抽出した所望の情報のみが含まれるようにしても良い。
【００１３】
次に、第１の実施の形態のチケット発券動作および２次元コードラベル発行動作について図３を参照して詳細に説明する。
図３は、本発明に係るチケット印字システムの第１の実施の形態におけるチケット発券動作および２次元コードラベル発行動作を説明するためのフローチャートである。
【００１４】
ホストコンピュータ１からチケット印字装置３の受信部３１によってチケット発券情報が受信されると（ステップＡ１）、印字イメージ生成部３２は、チケット発券情報に基づいて所定のフォーマットにレイアウトした印字イメージを生成し、チケット印字部３３は、印字イメージを所定の用紙に印字してチケット２を発券する（ステップＡ２）。
【００１５】
また、受信部３１は、後続するチケット２の発券があるか否か、すなわち、先に発券したチケット２と同一の封筒６に入れるチケット２の発券があるか否かを判断する（ステップＡ３）。なお、後続するチケット２の発券があるか否かを判断するための情報は、ホストコンピュータ１から提供されるものとする。
【００１６】
ステップＡ３で後続するチケット２の発券がある場合には、ステップＡ１に戻り、後続するチケット２の発券が行われ、後続するチケット２の発券がない場合には、受信部３１は、チケット２を発券した全てのチケット発券情報を２次元コード印字装置５の２次元コード生成部５１に出力する（ステップＡ４）。
【００１７】
２次元コード生成部５１は、入力された全てのチケット発券情報に基づいて２次元コード４を生成し、２次元コード印字部５２は、２次元コード４を所定のラベルに印字した２次元コードラベル４１を発行して（ステップＡ５）、チケット発券動作および２次元コードラベル発行動作を終了する。これにより、複数枚のチケット２が発券された場合には、複数枚のチケット２のチケット発券情報が含まれる２次元コード４が印字された２次元コードラベル４１が発行される。
【００１８】
チケット印字装置３から発券されたチケット２は、図２（ａ）に示すように、封筒６に入れると共に、２次元コード印字装置５から発行された２次元コードラベル４１を封筒６の表面に貼付し、図２（ｂ）に示すように、チケット２への印字内容を視認することができず、封筒６に貼付された２次元コードラベル４１に印字された２次元コード４のみを視認できる状態でチケット購入者に引き渡される。
【００１９】
封筒６に入れられた状態のチケット２を引き渡されたチケット購入者は、チケット２に貼付された２次元コードラベル４１に印字された２次元コード４を、２次元コード読み取り機能を有する携帯電話を用いて読み込むことで、２次元コード４に含まれているチケット発券情報を取得し、封筒６からチケット２を取り出さずにチケット発券情報を確認することができると共に、携帯電話に読み込んだチケット発券情報を保存しておくことで、チケット発券情報を随時確認することができ、スケジュールの確認に役立てることができる。
【００２０】
また、封筒６に複数のチケット２が入れられた状態でチケット購入者に引き渡された場合にも、チケット２に貼付された２次元コードラベル４１に印字された２次元コード４には、封筒６に入れられた複数のチケット２のチケット発券情報が含まれているため、封筒６からチケット２を取り出さずに封筒６に入れられた複数のチケット２のチケット発券情報をそれぞれ確認することができる。
【００２１】
なお、第１の実施の形態では、２次元コード印字装置５から２次元コードラベル４１を発行し、発行した２次元コードラベル４１を封筒６に貼付するように構成したが、２次元コード印字装置５によって２次元コード生成部５１によって生成された２次元コード４を封筒６に直接印字するようにしても良い。
【００２２】
また、第１の実施の形態では、封筒６に複数枚のチケット２を入れる場合、すなわち顧客一人に対して発券するチケットが複数枚ある場合には、複数枚のチケット２の発券に対応して、複数枚のチケット２のチケット発券情報を全て含む１枚の２次元コードラベル４１を発行するように構成したが、１枚のチケット２の発券に対応して、１枚の２次元コードラベル４１が発行されるようにしても良い。
【００２３】
以上説明したように、第１の実施の形態によれば、印字イメージ生成部３２によって入力されたチケット発券情報を所定のフォーマットにレイアウトした印字イメージを生成し、チケット印字部３３によって生成された印字イメージを所定の用紙に印字してチケット２を発券すると共に、２次元コード生成部５１によって入力されたチケット発券情報に基づいた２次元コード４を生成し、２次元コード印字部５２によって生成された２次元コード４を所定のラベルに印字して２次元コードラベル４１を発行するように構成することにより、チケット２を封筒６に入れた状態でチケット購入者に引き渡す場合にも、封筒６に２次元コード４が印字された２次元コードラベル４１を貼付することで、２次元コード読み取り機能を有する携帯電話を用いて２次元コード４を読み取り、封筒６からチケット２を取り出すことなく、チケット購入者がチケット２の内容を確認することができるという効果を奏する。
【００２４】
さらに、第１の実施の形態では、２次元コード生成部５１によって同一の封筒６に入れる複数のチケット２のチケット発券情報が含まれる２次元コード４を生成させるように構成することにより、複数枚のチケット２を封筒６に入れた状態でチケット購入者に引き渡す場合にも、封筒６に２次元コード４が印字された２次元コードラベル４１を貼付することで、２次元コード読み取り機能を有する携帯電話を用いて２次元コード４を読み取り、封筒６からチケット２を取り出すことなく、チケット購入者が封筒６に入れられた複数のチケット２の内容を確認することができるという効果を奏する。
【００２５】
（第２の実施の形態）
図４は、本発明に係るチケット印字システムの第２の実施の形態の構成を示すブロック図であり、図５は、図４に示すチケット印字システムによって印字されたチケットの使用方法を説明するための説明図である。
【００２６】
第２の実施の形態は、図４を参照すると、ホストコンピュータ１からのチケット発券情報に基づいて、航空機チケット、コンサートチケット、スポーツ観戦チケット、映画チケット等のチケット８を発券するチケット印字装置７からなる。
【００２７】
チケット印字装置７は、ホストコンピュータ１からチケット発券情報を受信する受信部３１と、受信部３１によって受信されたチケット発券情報に基づいてＱＲコード等の２次元コード４を生成する２次元コード生成部５１と、受信部３１によって受信されたチケット発券情報と２次元コード生成部５１によって生成された２次元コード４とを所定のフォーマットにレイアウトした印字イメージを生成する印字イメージ生成部３２と、印字イメージ生成部３２によって生成された印字イメージを所定の用紙に印字してチケット８を発券するチケット印字部３３とからなる。
【００２８】
ホストコンピュータ１からチケット印字装置７にチケット発券情報が入力されると、チケット印字装置７から２次元コード４が印字されたチケット８が発券される。
【００２９】
チケット印字装置７から発券されたチケット８を入れる封筒９には、図５（ａ）に示すように、チケット８を封筒９に入れた際に、チケット８に印字された２次元コード４に対向する位置に視認窓９１が形成されており、封筒９に入れられたチケット８は、図５（ｂ）に示すように、視認窓９１を介して２次元コード４が視認できる状態でチケット購入者に引き渡される。
【００３０】
封筒９に入れられた状態のチケット８を引き渡されたチケット購入者は、視認窓９１を介して視認できる２次元コード４を、２次元コード読み取り機能を有する携帯電話を用いて読み込むことで、２次元コード４に含まれているチケット発券情報を取得し、封筒９からチケット８を取り出さずにチケット発券情報を確認することができると共に、携帯電話に読み込んだチケット発券情報を保存しておくことで、チケット発券情報を随時確認することができ、スケジュールの確認に役立てることができる。
【００３１】
以上説明したように、第２の実施の形態によれば、２次元コード生成部５１によって入力されたチケット発券情報に基づいた２次元コード４を生成すると共に、印字イメージ生成部３２によって入力されたチケット発券情報と２次元コード生成部５１によって生成された２次元コード４とを所定のフォーマットにレイアウトした印字イメージを生成して、チケット印字部３３によって生成された印字イメージを所定の用紙に印字してチケット８を発券するように構成することにより、チケット８に印字された２次元コード４に対向する位置に視認窓９１が形成された封筒９に入れた状態でチケット８をチケット購入者に引き渡すことで、視認窓９１を介して２次元コード４の視認が可能になり、２次元コード読み取り機能を有する携帯電話を用いて２次元コード４を読み取ることができるという効果を奏する。
【００３２】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３３】
【図１】本発明に係るチケット印字システムの第１の実施の形態の構成を示すブロック図である。
【図２】図１に示すチケット印字システムによって印字されたチケットおよび２次元コードラベルの使用方法を説明するための説明図である。
【図３】本発明に係るチケット印字システムの第１の実施の形態におけるチケット発券動作および２次元コードラベル発行動作を説明するためのフローチャートである。
【図４】本発明に係るチケット印字システムの第２の実施の形態の構成を示すブロック図である。
【図５】図４に示すチケット印字システムによって印字されたチケットの使用方法を説明するための説明図である。
【符号の説明】
【００３４】
１  ホストコンピュータ
２  チケット
３  チケット印字装置
４  ２次元コード
５  ２次元コード印字装置
６  封筒
７  チケット印字装置
８  チケット
９  封筒
３１  受信部
３２  印字イメージ生成部
３３  チケット印字部
４１  ２次元コードラベル
５１  ２次元コード生成部
５２  ２次元コード印字部
９１  視認窓
【図１】
2007179356.tif 000003
【図２】
2007179356.tif 000004
【図３】
2007179356.tif 000005
【図４】
2007179356.tif 000006
【図５】
2007179356.tif 000007